(57)【要約】【課題】受信信号から遅延プロファイルを生成して、遅延信号を除去する遅延信号除去装置において、生成した遅延プロファイルに現れる不要な遅延信号成分（先行波等）の影響を受けることなく、実際に存在する遅延信号成分を選択的に除去できるようにする。【解決手段】遅延信号除去装置１０は、離散フーリエ変換部２６、伝達関数算出部２８、逆数算出部３０、及び、逆離散フーリエ変換部３２からなるＦＦＴ方式の遅延プロファイル算出手段にて、中継すべきＯＦＤＭ信号の遅延プロファイルを生成し、その生成した遅延プロファイルに基づき、遅延信号除去用のキャンセル信号を生成するＦＩＲフィルタ２０のフィルタ係数を設定する。そして、その設定されたフィルタ係数の内、不要な遅延信号成分に対応したマスク領域の係数については、マスク部３６にて最小値にマスクすることで、不要な遅延信号成分に対応したキャンセル信号が生成されるのを防止する。【選択図】図１
2014050035.tif 000002
【特許請求の範囲】
【請求項１】
ＯＦＤＭ信号を受信アンテナにて受信し、該受信信号を送信アンテナから再送信する中継装置において、前記受信信号に重畳された前記ＯＦＤＭ信号の遅延信号成分を除去する遅延信号除去装置であって、
前記受信アンテナからの受信信号に基づき、前記ＯＦＤＭ信号の遅延プロファイルを算出する遅延プロファイル算出手段と、
該遅延プロファイル算出手段にて算出された遅延プロファイルに基づき、前記遅延信号成分を除去するための除去信号を生成する除去信号生成手段と、
前記受信アンテナからの受信信号と前記除去信号生成手段とを混合することで、前記受信信号から前記遅延信号成分を除去する遅延信号除去手段と、
前記除去信号生成手段にて生成される除去信号の内、予め設定された特定期間内の信号成分を最小値に固定し、当該特定期間内の信号除去を抑制する信号除去抑制手段と、
を備えたことを特徴とする遅延信号除去装置。
【請求項２】
前記除去信号生成手段は、
前記受信信号から前記除去信号を抽出するＦＩＲフィルタと、
前記遅延プロファイルに基づき、前記ＦＩＲフィルタのフィルタ係数を算出する係数算出手段と、
を備え、
前記信号除去抑制手段は、前記係数算出手段にて算出されたフィルタ係数の一部を最小値に固定することで、前記特定期間内の信号除去を抑制することを特徴とする請求項１に記載の遅延信号除去装置。
【請求項３】
前記信号除去抑制手段が信号除去を抑制する前記特定期間を、外部からの指令に従い設定する特定期間設定手段を備えたことを特徴とする請求項１又は請求項２に記載の遅延信号除去装置。
【請求項４】
前記遅延プロファイル算出手段による前記遅延プロファイルの算出結果を、外部装置に出力する遅延プロファイル出力手段を備えたことを特徴とする請求項３に記載の遅延信号除去装置。
【請求項５】
前記遅延プロファイル算出手段は、
前記ＯＦＤＭ信号の受信信号を離散フーリエ変換することで当該ＯＦＤＭ信号の周波数軸上のスペクトルを抽出する離散フーリエ変換部と、
該離散フーリエ変換部にて抽出されたスペクトルに基づき前記送信アンテナから前記受信アンテナに至る伝送路の伝達関数を算出する伝達関数算出部と、
該伝達関数算出部にて算出された伝達関数の逆数を算出する逆数算出部と、
該逆数算出部からの出力を逆離散フーリエ変換することで前記遅延プロファイルを導出する逆離散フーリエ変換部と、
を備えたことを特徴とする請求項１〜請求項４の何れか１項に記載の遅延信号除去装置。
【請求項６】
ＯＦＤＭ信号を受信アンテナにて受信し、該受信信号を送信アンテナから再送信する中継装置であって、
前記受信信号に重畳された前記ＯＦＤＭ信号の遅延信号成分を除去する遅延信号除去装置として、請求項１〜請求項５の何れか１項に記載の遅延信号除去装置を備えたことを特徴とする中継装置。
【発明の詳細な説明】
【技術分野】
【０００１】
本発明は、地上デジタルテレビ放送等で利用されているＯＦＤＭ信号を中継する中継装置において、受信信号の中から、中継すべきＯＦＤＭ信号に対する遅延信号成分を除去するのに用いられる遅延信号除去装置に関する。
【背景技術】
【０００２】
地上デジタルテレビ放送等で利用されているＯＦＤＭ信号を周波数変換（換言すればチャンネル変換）することなく中継するＳＦＮ方式の中継装置には、送信アンテナからの送信電波の回り込み等によって、中継すべきＯＦＤＭ信号に対する不要な遅延信号成分を送信することのないよう、遅延信号除去装置が設けられている。
【０００３】
この遅延信号除去装置は、遅延信号の遅延プロファイル（複素インパルス応答）を測定し、その測定した遅延プロファイルに従い、受信信号から遅延信号成分を除去するものである。
【０００４】
またこの種の中継装置において、遅延プロファイルの測定には、通常、受信したＯＦＤＭ信号を離散フーリエ変換することで、受信帯域内のスペクトルを抽出し、各スペクトルを時間的に平均化して、その逆数を逆離散フーリエ変換するＦＦＴ方式のものが利用されている（例えば、特許文献１、２参照）。
【０００５】
一方、遅延プロファイルの測定方法としては、ＦＦＴ方式以外にも、例えば、ＯＦＤＭ信号に同期復調時の振幅位相基準として挿入されるＳＰ信号（Ｓｃａｔｔｅｒｅｄ  Ｐｉｌｏｔ  Ｓｉｇｎａｌ）等の基準信号を用いて伝送路の伝達関数を推定し、その推定した伝送路の伝達関数の逆数を逆離散フーリエ変換することで遅延プロファイルを測定するＳＰ方式のものも知られている。
【０００６】
しかし、このＳＰ方式では、受信信号の中からＳＰ信号を抽出する必要があり、装置構成が複雑になる。このため、測定精度が要求されるスペクトラムアナライザ等の測定装置では採用されているものの、中継装置では、比較的安価に構成できるＦＦＴ方式のものが採用されることが多い。
【先行技術文献】
【特許文献】
【０００７】
【特許文献１】特開２０１１−１０３６４７号公報
【特許文献２】特許第４１０９５１３号公報
【発明の概要】
【発明が解決しようとする課題】
【０００８】
ところで、遅延プロファイルの測定をＦＦＴ方式で行うと、受信信号に、中継すべきＯＦＤＭ信号に対する先行波成分が重畳されている場合に、その先行波成分が遅延信号成分として測定されてしまうという問題があった。
【０００９】
そして、このように、本来遅延信号とはならない先行波成分が遅延信号成分として測定されると、その測定結果である遅延プロファイルから生成される除去信号（詳しくは、遅延信号成分を除去するための信号）として、先行波成分に対応した不要な除去信号が生成されることになる。
【００１０】
そして、このような不要な除去信号が生成されると、受信信号から除去信号を除去した信号に、その不要な除去信号が重畳されてしまい、遅延信号除去装置は、その不要な除去信号を更に除去するように動作することから、遅延信号除去装置が発振してしまうことがある。
【００１１】
また、こうした問題は、受信信号に先行波成分が重畳された場合だけでなく、中継すべきＯＦＤＭ信号に対し遅延時間が著しく長い遅延信号が受信信号に重畳された場合にも同様に発生する。
【００１２】
本発明は、こうした問題に鑑みなされたものであり、受信信号に重畳された先行波成分や遅延時間が著しく長い遅延信号成分によって、遅延プロファイルに不要な遅延信号成分が含まれている場合に、不要な遅延信号成分の影響を受けることなく、実際に存在する遅延信号成分を選択的に除去することのできる遅延信号除去装置、及び、この遅延信号除去装置を備えた中継装置を提供することを目的とする。
【課題を解決するための手段】
【００１３】
かかる目的を達成するためになされた請求項１に記載の発明は、ＯＦＤＭ信号を受信アンテナにて受信し、該受信信号を送信アンテナから再送信する中継装置において、前記受信信号に重畳された前記ＯＦＤＭ信号の遅延信号成分を除去する遅延信号除去装置であって、
前記受信アンテナからの受信信号に基づき、前記ＯＦＤＭ信号の遅延プロファイルを算出する遅延プロファイル算出手段と、
該遅延プロファイル算出手段にて算出された遅延プロファイルに基づき、前記遅延信号成分を除去するための除去信号を生成する除去信号生成手段と、
前記受信アンテナからの受信信号と前記除去信号生成手段とを混合することで、前記受信信号から前記遅延信号成分を除去する遅延信号除去手段と、
前記除去信号生成手段にて生成される除去信号の内、予め設定された特定期間内の信号成分を最小値に固定し、当該特定期間内の信号除去を抑制する信号除去抑制手段と、
を備えたことを特徴とする。
【００１４】
また、請求項２に記載の発明は、請求項１に記載の遅延信号除去装置において、
前記除去信号生成手段は、
前記受信信号から前記除去信号を抽出するＦＩＲフィルタと、
前記遅延プロファイルに基づき、前記ＦＩＲフィルタのフィルタ係数を算出する係数算出手段と、
を備え、
前記信号除去抑制手段は、前記係数算出手段にて算出されたフィルタ係数の一部を最小値に固定することで、前記特定期間内の信号除去を抑制することを特徴とする。
【００１５】
また、請求項３に記載の発明は、請求項１又は請求項２に記載の遅延信号除去装置において、
前記信号除去抑制手段が信号除去を抑制する前記特定期間を、外部からの指令に従い設定する特定期間設定手段を備えたことを特徴とする。
【００１６】
また、請求項４に記載の発明は、請求項３に記載の遅延信号除去装置において、
前記遅延プロファイル算出手段による前記遅延プロファイルの算出結果を、外部装置に出力する遅延プロファイル出力手段を備えたことを特徴とする。
【００１７】
また、請求項５に記載の発明は、請求項１〜請求項４の何れか１項に記載の遅延信号除去装置において、
前記遅延プロファイル算出手段は、
前記ＯＦＤＭ信号の受信信号を離散フーリエ変換することで当該ＯＦＤＭ信号の周波数軸上のスペクトルを抽出する離散フーリエ変換部と、
該離散フーリエ変換部にて抽出されたスペクトルに基づき前記送信アンテナから前記受信アンテナに至る伝送路の伝達関数を算出する伝達関数算出部と、
該伝達関数算出部にて算出された伝達関数の逆数を算出する逆数算出部と、
該逆数算出部からの出力を逆離散フーリエ変換することで前記遅延プロファイルを導出する逆離散フーリエ変換部と、
を備えたことを特徴とする。
【００１８】
一方、請求項６に記載の発明は、ＯＦＤＭ信号を受信アンテナにて受信し、該受信信号を送信アンテナから再送信する中継装置であって、
前記受信信号に重畳された前記ＯＦＤＭ信号の遅延信号成分を除去する遅延信号除去装置として、請求項１〜請求項５の何れか１項に記載の遅延信号除去装置を備えたことを特徴とする。
【発明の効果】
【００１９】
請求項１に記載の遅延信号除去装置においては、まず、遅延プロファイル算出手段が、受信アンテナからの受信信号に基づき、ＯＦＤＭ信号の遅延プロファイルを算出する。
すると、除去信号生成手段が、その算出された遅延プロファイルに基づき、受信信号から遅延信号成分を除去するための除去信号を生成し、遅延信号除去手段が、受信アンテナからの受信信号と除去信号生成手段とを混合することで、受信信号から遅延信号成分を除去する。
【００２０】
また、本発明の遅延信号除去装置には、除去信号生成手段にて生成される除去信号の内、予め設定された特定期間内の信号成分を最小値に固定し、当該特定期間内の信号除去を抑制する信号除去抑制手段が設けられている。
【００２１】
このため、受信信号に、中継すべきＯＦＤＭ信号に対する先行波成分や、遅延時間が著しく長い遅延信号成分が重畳されていて、遅延プロファイル算出手段にて算出された遅延プロファイルに、これら先行波成分や遅延時間が著しく長い遅延信号成分に対応した不要な遅延信号成分（換言すれば実際には存在しない遅延信号成分）が含まれている場合に、その不要な遅延信号成分に対応して、信号除去抑制手段が除去信号を最小値に固定する特定期間を設定することで、遅延信号除去信号生成手段にて生成される除去信号の中から、その不要な遅延信号成分に対応した除去信号成分を除去することができるようになる。
【００２２】
従って、本発明の遅延信号除去装置によれば、遅延プロファイル算出手段にて算出された遅延プロファイルに、実際には存在しない遅延信号成分が含まれていても、その遅延信号成分の影響を受けることなく、受信信号の中から、実際に存在する遅延信号成分を選択的に除去することができる。
【００２３】
よって、本発明の遅延信号除去装置を用いて、ＯＦＤＭ信号の中継装置を構築すれば、ＯＦＤＭ信号を高品質に中継可能な中継装置を構築できることになる。
ここで、請求項２に記載のように、除去信号生成手段は、一般に、受信信号から除去信号を抽出するためのＦＩＲフィルタと、遅延プロファイルに基づきＦＩＲフィルタのフィルタ係数を算出する係数算出手段とを用いて構成される。
【００２４】
そして、この場合、信号除去抑制手段は、係数算出手段にて算出されたフィルタ係数の一部を最小値に固定することで、特定期間内の信号除去を抑制するようにすればよい。
一方、先行波成分や遅延時間が著しく長い遅延信号成分が遅延プロファイル上にイメージとして現れる期間は、遅延信号除去装置の使用環境（設定点等）により変化し、場合によっては、現れないこともある。
【００２５】
このため、信号除去抑制手段が信号除去を抑制する特定期間は、遅延信号除去装置の使用環境に応じて任意に設定できるようにすることが望ましく、そのためには、請求項３に記載のように、信号除去抑制手段が信号除去を抑制する特定期間を外部からの指令に従い設定する特定期間設定手段を設けるとよい。
【００２６】
つまり、このようにすれば、遅延信号除去装置の設置者は、遅延信号除去装置の使用環境に応じて、特定期間を設定することができ、場合によってはその特定期間をなくすこともできるので、遅延信号除去装置の用途を拡大することができる。
【００２７】
またこのように、遅延信号除去装置に特定期間設定手段を設ける場合には、更に、請求項４に記載のように、遅延プロファイル出力手段を設けて、遅延プロファイル算出手段による遅延プロファイルの算出結果を、外部装置に出力できるようにするとよい。
【００２８】
つまり、このようにすれば、遅延信号除去装置の設置者は、遅延プロファイル出力手段から出力される遅延プロファイルをパソコン等の情報処理装置に取り込み、ディスプレイに表示させることができる。
【００２９】
このため、設置者は、遅延プロファイルの表示画面から、不要な先行波成分若しくは不要な遅延信号成分の発生期間を特定して、信号除去抑制手段が信号除去を抑制する特定期間を設定できることになり、遅延信号除去装置の設置時の作業性を向上することができる。
【００３０】
なお、請求項５に記載のように、遅延プロファイル算出手段としては、離散フーリエ変換部と、伝達関数算出部と、逆数算出部と、逆離散フーリエ変換部とにより、上述したＦＦＴ方式のものを採用するとよい。
【００３１】
つまり、このようにすれば、上述したＳＰ方式のものを採用した場合に比べて、装置構成を簡単にして、遅延信号除去装置を比較的安価に構成できることになる。
一方、請求項２に記載の中継装置によれば、上述した本発明の遅延信号除去装置を備えているので、受信信号から、中継すべきＯＦＤＭ信号の遅延信号成分を良好に除去することができ、発振等の不具合を発生させることなく、ＯＦＤＭ信号を高品質で中継することが可能となる。
【図面の簡単な説明】
【００３２】
【図１】実施形態の中継装置及び遅延信号除去装置の構成を表すブロック図である。
【図２】受信信号に先行波が重畳される中継システムの構成を表す説明図である。
【図３】先行波が存在する場合にＦＦＴ方式にて生成される遅延プロファイルを表す説明図である。
【図４】マスク部の動作を説明する説明図である。
【図５】遅延時間が著しく長い遅延波が存在する場合の遅延プロファイルを説明する説明図である。
【発明を実施するための形態】
【００３３】
以下に本発明の実施形態を図面と共に説明する。
本実施形態の中継装置は、地上デジタルテレビ放送の放送電波（ＯＦＤＭ信号）を受信アンテナ２で受信し、その受信信号を、周波数変換することなく、同一放送チャンネルの状態で送信アンテナ４から再送信する、ＳＦＮ方式の中継局を構成するためのものである。
【００３４】
そして、本実施形態の中継装置には、放送局や他の中継局から送信された放送電波の反射、送信アンテナ４からの送信電波の受信アンテナ２への回り込み、等によって受信信号に重畳された遅延信号を除去するために、Ａ／Ｄ変換部６、遅延信号除去装置１０、及びＤ／Ａ変換部８が設けられている。
【００３５】
ここで、Ａ／Ｄ変換部６は、受信アンテナ２にて受信された受信信号の中から、中継対象（換言すれば遅延信号の除去対象）となる放送信号（ＯＦＤＭ信号）を選局することで、ベースバンドのＯＦＤＭ信号に周波数変換し、周波数変換後のＯＦＤＭ信号をデジタルデータに変換する。
【００３６】
また、遅延信号除去装置１０は、Ａ／Ｄ変換部６にてデジタルデータに変換されたベースバンドのＯＦＤＭ信号に基づき、遅延信号を除去するのに必要なキャンセル信号（デジタルデータ）を生成し、そのキャンセル信号を、ベースバンドのＯＦＤＭ信号から除去する。
【００３７】
また、Ｄ／Ａ変換部８は、遅延信号除去装置１０にて遅延信号が除去されたＯＦＭＤ信号をアナログ信号にＤ／Ａ変換し、そのアナログ信号を、Ａ／Ｄ変換部６でダウンコンバートする前の元の周波数帯にアップコンバートすることで、回り込み信号除去後の放送信号を生成し、送信アンテナ４から送信させる。
【００３８】
次に、遅延信号除去装置１０の構成について説明する。
なお、この遅延信号除去装置１０は、デジタルデータを処理するものであるため、マイコン若しくはＡＳＩＣ等のデジタル信号処理回路にて構成されており、以下に説明する個々の構成要素は、機能ブロックである。
【００３９】
図１に示すように、遅延信号除去装置１０は、キャンセル信号を生成するためのＦＩＲフィルタ２０と、ＦＩＲフィルタ２０にて生成されたキャンセル信号とＡ／Ｄ変換部６から入力されたＯＦＤＭ信号とを加算することでＯＦＤＭ信号からキャンセル信号を除去する加算器１２と、を備える。
【００４０】
なお、ＦＩＲフィルタ２０は、加算器１２から出力されるＯＦＤＭ信号を取り込み、その取り込んだＯＦＤＭ信号を所定のフィルタ係数にてフィルタ処理することにより、キャンセル信号を生成するものである。
【００４１】
そして、遅延信号除去装置１０には、ＦＩＲフィルタ２０にて、ＯＦＤＭ信号に重畳された遅延信号を除去するためのキャンセル信号を生成できるように、加算器１２から出力されるＯＦＤＭ信号に基づき、ＦＩＲフィルタ２０のフィルタ係数を設定するフィルタ係数設定部２２が設けられている。
【００４２】
このフィルタ係数設定部２２は、離散フーリエ変換部２６、伝達関数算出部２８、逆数算出部３０、逆離散フーリエ変換部３２、及び、係数算出部３４を備える。
離散フーリエ変換部２６は、Ａ／Ｄ変換部６から入力されたベースバンドのＯＦＤＭ信号を離散フーリエ変換することで、ＯＦＤＭ信号の周波数軸上のスペクトルを抽出するものであり、その抽出されたスペクトルは、伝達関数算出部２８に入力される。
【００４３】
そして、伝達関数算出部２８は、離散フーリエ変換部２６で抽出されたスペクトルに基づき、ＯＦＤＭ信号の主波に対する遅延波の伝送路の伝達関数を算出し、逆数算出部３０は、その算出された伝達関数の逆数を算出し、逆離散フーリエ変換部３２は、逆数算出部３０からの出力を逆離散フーリエ変換することで、遅延プロファイルを導出する。
【００４４】
なお、このように遅延プロファイルを算出する手順は、ＦＦＴ方式の遅延プロファイル算出手順として知られているので、ここでは詳細な説明は省略する。
次に、逆離散フーリエ変換部３２で算出された遅延プロファイルは、係数算出部３４に入力され、係数算出部３４は、その入力された遅延プロファイルに基づき、ＦＩＲフィルタ２０にて遅延信号除去用のキャンセル信号を生成するのに要するフィルタ係数を算出する。
【００４５】
このように算出されたフィルタ係数は、通常、そのままＦＩＲフィルタ２０に設定されるが、本実施形態のフィルタ係数設定部２２には、フィルタ係数の一部を最小値（値０）としてＦＩＲフィルタ２０に設定する、マスク部３６が設けられている。
【００４６】
また、遅延信号除去装置１０には、マスク部３６がフィルタ係数の一部を最小値にマスクする範囲を設定するためのマスク領域設定部４０、及び、逆離散フーリエ変換部３２にて算出された遅延プロファイルを出力するためのデータ出力部３８が設けられている。
【００４７】
そして、このマスク領域設定部４０、及び、逆離散フーリエ変換部３２は、データ入出力端子を介して、パソコン等からなるデータ入出力装置５０に接続可能にされている。
このため、使用者は、データ入出力装置５０を利用して遅延プロファイルを確認し、この遅延プロファイルの中から不要な遅延信号成分を特定して、その不要な遅延信号成分に対応して、マスク部３６によるマスク領域を設定することができる。
【００４８】
次に、本実施形態の遅延信号除去装置１０において、マスク部３６、データ出力部３８、及び、マスク領域設定部４０が設けられている理由（換言すれば、これら各部の作用効果）について説明する。
【００４９】
まず、図２に示すように、送信局１からの送信電波を、第１中継局ＧＦ１、第２中継局ＧＦ２、第３中継局ＧＦ３を介して順に中継する場合、第２中継局ＧＦ２には、第１中継局ＧＦ１からの再送信波Ｓ２１だけでなく、送信局１からの送信波Ｓ２が届くことがある。
【００５０】
また、第３中継局ＧＦ３には、第２中継局ＧＦ２からの再送信波Ｓ２２だけでなく、第１中継局ＧＦ１からの再送信波Ｓ２１−１や、送信局１からの送信波Ｓ３が届くことがある。
【００５１】
この場合、第２中継局ＧＦ２に届く送信局１からの送信波Ｓ２は、再送信すべき主波である第１中継局ＧＦ１からの再送信波Ｓ２１に比べて、第１中継局ＧＦ１での処理時間（遅延時間）Ｄ１分だけ早く届き、先行波となる。
【００５２】
従って、第２中継局ＧＦ２で生成されるべき本来の遅延プロファイルでは、再送信波Ｓ２１よりも遅延時間Ｄ１分だけ前に送信波Ｓ２が現れ、再送信波Ｓ２１よりも遅延時間Ｄ２分だけ後に、自身の再送信波Ｓ２２の回り込み信号（エコーＳ２２Ｄ）が遅延波として現れることになる。
【００５３】
また、第３中継局ＧＦ３に届く送信局１からの送信波Ｓ３は、再送信すべき主波である第２中継局ＧＦ２からの再送信波Ｓ２２に比べて、第１中継局ＧＦ１及び第２中継局ＧＦ２での処理時間（遅延時間）「Ｄ１＋Ｄ２」分だけ早く届き、先行波となる。
【００５４】
また、第３中継局ＧＦ３に届く第１中継局ＧＦ１からの再送信波Ｓ２１−１は、再送信すべき主波である第２中継局ＧＦ２からの再送信波Ｓ２２に比べて、第２中継局ＧＦ２での処理時間（遅延時間）Ｄ２分だけ早く届き、先行波となる。
【００５５】
従って、第３中継局ＧＦ３で生成されるべき本来の遅延プロファイルでは、再送信波Ｓ２２よりも遅延時間「Ｄ１＋Ｄ２」分だけ前に送信波Ｓ３が現れ、同じく遅延時間Ｄ２分だけ前に再送信波Ｓ２１−１が現れ、再送信波Ｓ２２よりも遅延時間Ｄ３分だけ後に、自身の再送信波Ｓ２３の回り込み信号（エコーＳ２３Ｄ）が遅延波として現れることになる。
【００５６】
この場合、先行波が主波に対し、信号レベルが充分小さければ問題ないが、先行波の伝送路が短く、その信号レベルが充分減衰されていない場合（つまり、先行波の信号レベルが高い場合）には、図３に示すように、フィルタ係数設定部２２でＦＦＴ法により生成される遅延プロファイル上で、先行波が主波を中心として折り返され、折り返し遅延波として、主波よりも後に現れる。
【００５７】
なお、図３において、（ａ）は実際の遅延プロファイルを表し、（ｂ）はＦＦＴ法にて生成される遅延プロファイルを表す。
そして、このように、先行波が折り返し遅延波として遅延プロファイル上に現れると、その遅延プロファイルからＦＩＲフィルタ２０のフィルタ係数を設定して、キャンセル信号を生成すると、キャンセル信号には、実際には存在しない折り返し遅延波を除去するための不要な信号成分が含まれることになる。
【００５８】
そして、キャンセル信号に、このような不要な信号成分が含まれると、ＯＦＤＭ信号からキャンセル信号を除去した信号に、その不要な信号成分が重畳されてしまい、遅延信号除去装置１０は、その不要な信号成分を更に除去するように動作することから、遅延信号除去装置１０が発振してしまうことがある。
【００５９】
そこで、本実施形態では、フィルタ係数設定部２２に、マスク部３６を設けることで、図４に示すように、係数算出部３４にて算出されたフィルタ係数の内、先行波に対応する折り返し遅延波に対応した領域のフィルタ係数を最小値（値０）に設定するようにしているのである。
【００６０】
従って、本実施形態の遅延信号除去装置１０によれば、遅延信号の除去対象となる主波に対する先行波が、折り返し遅延波として遅延プロファイルに現れたとしても、その折り返し遅延波を除去するようにＦＩＲフィルタ２０のフィルタ係数が設定されて、発振等の不具合が発生するのを防止することができる。
【００６１】
また、本実施形態では、マスク部３６にてフィルタ係数を最小値（値０）にマスクするマスク領域を、マスク領域設定部４０を介して外部から設定できるようにされているので、中継装置の設置者は、遅延信号除去装置１０の使用環境に応じて、マスク領域を任意に設定することができ、場合によってはマスク領域をなくすこともできる。
【００６２】
また、このようにマスク領域を設定するには、フィルタ係数設定部２２内で求められる遅延プロファイル上で、折り返し遅延波のような、遅延信号の除去対象とならない不要信号を特定し、その不要信号の発生領域に基づき、マスク領域を設定する必要があるが、本実施形態では、遅延信号除去装置１０内に、データ出力部３８を設けているので、中継装置の設置者は、データ入出力装置５０を接続して、遅延プロファイルを表示させることで、マスク領域を簡単に特定することができる。
【００６３】
よって、本実施形態の遅延信号除去装置１０は、中継装置の設置者にとって、極めて使い勝手のよい装置となる。
なお、本実施形態において、離散フーリエ変換部２６、伝達関数算出部２８、逆数算出部３０、及び、逆離散フーリエ変換部３２は、本発明の遅延プロファイル算出手段に相当し、係数算出部３４及びＦＩＲフィルタ２０は、本発明の除去信号生成手段に相当し、加算器１２は、本発明の遅延信号除去手段に相当する。
【００６４】
また、マスク部３６は、本発明の信号除去抑制手段に相当し、マスク領域設定部４０は、本発明の特定期間設定手段に相当し、データ出力部３８は、本発明の遅延プロファイル出力手段に相当する。
【００６５】
以上、本発明の一実施形態について説明したが、本発明は、上記実施形態に限定されるものではなく、本発明の要旨を逸脱しない範囲内にて、種々の態様をとることができる。
例えば、上記実施形態では、遅延プロファイルは、離散フーリエ変換部２６、伝達関数算出部２８、逆数算出部３０、及び、逆離散フーリエ変換部３２からなるＦＦＴ方式の遅延プロファイル生成手段にて生成するものとして説明したが、上述したＳＰ方式のものであっても、本発明を適用して、上記実施形態と同様の効果を得ることができる。
【００６６】
つまり、ＳＰ方式で遅延プロファイルを生成するようにすると、上述した先行波による問題は生じないものの、図５（ａ）に示すように、回り込み信号等の通常の遅延信号（第１遅延波）とは別に、Ａ／Ｄ変換部６によるＯＦＤＭ信号のサンプリング周期を越える長い遅延時間を有する遅延信号（第２遅延波）が存在する場合に、問題が発生する。
【００６７】
つまり、ＳＰ方式で遅延プロファイルを生成した場合、図３（ｃ）に示すように、第２遅延波は、逆離散フーリエ変換を行うポイント数（ＩＦＦＴポイント数）を一周して現れる。
【００６８】
そして、生成した遅延プロファイルに、この第２遅延波が現れ、これを除去するようにＦＩＲフィルタ２０のフィルタ係数を設定すると、ＦＦＴ方式で折り返し遅延波が現れ、これを除去するようにフィルタ係数を設定した場合と同様の問題が生じる。
【００６９】
しかし、本発明では、上記実施形態のように、マスク部３６やマスク領域設定部４０を設けることで、遅延プロファイル上に現れた第２遅延波を除去しないようにフィルタ係数をマスクすることができるので、この問題を防止できる。
【００７０】
なお、長い遅延時間を有する遅延信号（第２遅延波）が存在する場合、ＦＦＴ方式で遅延プロファイルを生成すると、図５（ｂ）に示すように、先行波が存在する場合と同様、逆離散フーリエ変換を行うポイント数（ＩＦＦＴポイント数）の１／２のポイントを折り返しポイントとして、折り返し第２遅延波が現れるが、上記実施形態の遅延信号除去装置１０によれば、この折り返し第２遅延波に対応して、フィルタ係数のマスク領域を設定することができるので、遅延信号除去装置１０が折り返し第２遅延波の影響を受けるのを防止できる。
【符号の説明】
【００７１】
２…受信アンテナ、４…送信アンテナ、６…Ａ／Ｄ変換部、８…Ｄ／Ａ変換部、１０…遅延信号除去装置、１２…加算器、２０…ＦＩＲフィルタ、２２…フィルタ係数設定部、２６…離散フーリエ変換部、２８…伝達関数算出部、３０…逆数算出部、３２…逆離散フーリエ変換部、３４…係数算出部、３６…マスク部、３８…データ出力部、４０…マスク領域設定部、５０…データ入出力装置、１…送信局、ＧＦ１…第１中継局、ＧＦ２…第２中継局、ＧＦ３…第３中継局。
【図１】
2014050035.tif 000003
【図２】
2014050035.tif 000004
【図３】
2014050035.tif 000005
【図４】
2014050035.tif 000006
【図５】
2014050035.tif 000007